(57)【特許請求の範囲】
【請求項１】
被写体を撮影した画像を電気的に変換して形成した画像原信号を出力する撮像部と、
前記画像原信号に基づいた画像信号又は外部映像機器類から入力された映像信号を外部表示装置へ出力すると共に、前記画像原信号を圧縮して形成した画像データ信号をパソコン等の端末装置へ出力する装置本体とからなる撮像装置であって、
前記端末装置とデータ通信をするための主データ入出力端子と、前記端末装置とデータ通信をする周辺機器を接続するための従データ入出力端子とからなる外部データ入出力端子を前記装置本体に設け、
前記撮像部と前記装置本体に電源を供給する一の主電源供給手段と、
前記従データ入出力端子から前記周辺機器に電源を供給する一又は複数の副電源供給手段と、
外部電源の電圧及び電流を前記撮像部及び前記装置本体、並びに前記周辺機器の各動作に適した電圧及び電流に変換する制御を行う電源制御手段とを設け、
前記副電源供給手段に、前記端末装置が前記主データ入出力端子に接続されたことを検知すると共に、前記周辺機器が前記従データ入出力端子に接続されたことを検知する検知手段を設けて、
前記端末装置が前記主データ入出力端子に接続されている場合に、前記周辺機器を前記従データ入出力端子へ接続したとき、
前記従データ入出力端子が電源を出力するようにしたことを特徴とする撮像装置。
【請求項２】
前記主電源供給手段に前記撮像部の電源をオン又はオフにするためのスイッチを設け、
該スイッチのオン・オフにかかわらず、前記副電源供給手段は、略一定の値の電源を前記従データ入出力端子から出力するようにしたことを特徴とする請求項１に記載の撮像装置。
【請求項３】
前記副電源供給手段は、前記従データ入出力端子を一個乃至複数個毎にまとめた従データ入出力端子ユニットを有していることを特徴とする請求項１若しくは請求項２のいずれかに記載の撮像装置。
【請求項４】
前記副電源供給手段が前記従データ入出力端子から出力する電源電圧は、前記主電源供給手段が供給する電源電圧よりも低電圧であることを特徴とする請求項１乃至請求項３のいずれかに記載の撮像装置。
【請求項５】
前記主データ入出力端子及び前記従データ入出力端子からなる前記外部データ入出力端子がＵＳＢポートであることを特徴とする請求項１に記載の撮像装置。
【発明の詳細な説明】
【技術分野】
【０００１】
本発明は、撮像装置に関し、特に被写体を撮像した画像を電気的に変換した画像原信号に基づいた画像信号をプロジェクタ等の外部表示装置に出力すると共に、該画像原信号を圧縮して形成した画像データ信号をパソコン等の端末装置に出力する撮像装置に関する。
【背景技術】
【０００２】
従来、パソコン等の端末装置は、各種の周辺機器を有している。当該周辺機器は、例えば、キーボード、マウス、イメージスキャナ、モニタ、プリンタ、ハードディスクドライブ、フラッシュメモリ等がある。
これ等周辺機器と端末装置は、それぞれ周辺機器の特性に合わせて、各種規格に準拠したデータ伝送路で結ばれている。該データ伝送路の規格の一つに、ＵＳＢ（Ｕｎｉｖｅｒｓａｌ  Ｓｅｒｉａｌ  Ｂｕｓ）が制定されている。
ＵＳＢによる周辺機器（以下「ＵＳＢ機器」という）は、端末装置に設けられたＵＳＢによるデータ入出力端子（以下「ＵＳＢポート」という）に、ＵＳＢケーブルで接続されている。
従来、ＵＳＢポートは、端末装置に複数個、多くは２個乃至４個程備えられている。ところが、近年、ＵＳＢが普及したことから端末装置に接続されるＵＳＢ機器が増加し、ＵＳＢポート数が不足するようになった。そのため、端末装置のＵＳＢポートに、複数のＵＳＢポートを備えたＵＳＢハブと呼ばれる機器を接続することで、ＵＳＢポート数を増設し、複数台のＵＳＢ機器を接続している。
また、ＵＳＢポートには、接続されたＵＳＢ機器に給電する機能を備えたバスパワー型と、接続されたＵＳＢ機器に給電する機能を備えていないセルフパワー型とがある。
通常、端末装置が有するＵＳＢポートはバスパワー型である。当該端末装置が有するＵＳＢポートは、１ポートあたりの供給可能な電源が、電圧５Ｖ±５％、消費電流５００ｍＡ、消費電力２．５Ｗに制限されている。
ここで、当該端末装置のＵＳＢポートに接続されるバスパワー型ＵＳＢハブは、上記の制限された電源をさらに当該ＵＳＢハブが有するポート数で分割するので、消費電力の小さいＷｅｂカメラやカードリーダ、ＵＳＢメモリ等が主に接続されている。
一方で、バスパワーＵＳＢハブは、接続されるＵＳＢ機器の電源ケーブルが不要となることから、端末装置とＵＳＢ機器間の配線を整理することができる。
さらに、バスパワーＵＳＢハブを組み込んだＵＳＢ機器が知られている。該ＵＳＢハブ付ＵＳＢ機器の一例として、１個乃至３個のＵＳＢポートを有するキーボードやマウス等がある。
ＵＳＢハブ付ＵＳＢ機器は、該ＵＳＢ機器自身がＵＳＢポートを１つ占有する。そのため、ＵＳＢハブ付ＵＳＢ機器は、単体のＵＳＢハブよりも使用可能なＵＳＢポート数が１つ少なくなる。また、パソコンから供給されているハブ電源を一部使用することから、他のＵＳＢポートに供給する電源が単体のＵＳＢハブよりもさらに制限される。
【０００３】
一方、セルフパワー型ＵＳＢポートを有するＵＳＢハブは、専らパソコンとＵＳＢ機器間のデータ通信に用いられている。セルフパワー型ＵＳＢハブに接続されるＵＳＢ機器は、例えば、プリンタ、スキャナ等である。当該ＵＳＢ機器は消費電力が大きいものの、それぞれ別途電源を確保しているので、パソコンに電源を依存することなく動作することができる。
そのようなＵＳＢ機器の一例として、特開２００８−１９３３９１に開示されている資料提示装置がある。該資料提示装置は、基台の背面に外部機器との電気的接続を確保するための各種の連結ソケットが配設されている。
該連結ソケットからは画像信号と画像データ信号が出力される。画像信号は、プロジェクタ、モニタ等の表示機器へ出力される。画像データ信号は、端末装置のモニタ画面上に表示され、又はハードディスクドライブ等の外部記憶媒体に記録される。
これにより、プレゼンテーションや授業等の場において、画像信号に基づく画像をプロジェクタによってスクリーン等へ映写すると共に、画像データに基づく画像を資料提示装置の近傍に配した端末装置のモニタ画面に表示することができる。
【先行技術文献】
【特許文献】
【０００４】
【特許文献１】特開２００８−１９３３９１号公報
【発明の概要】
【発明が解決しようとする課題】
【０００５】
ここで、上記のプレゼンテーションや授業等の場において、端末装置に接続した外部記憶媒体に保存した画像と上記の資料提示装置で撮像した画像とを任意に切り替えて表示する使用する場合がある。このとき、端末装置と資料提示装置はそれぞれプロジェクタ等の表示装置に接続されている。この場合、端末装置と表示装置、資料提示装置と表示装置のそれぞれにデータ伝送用ケーブルと電源ケーブルが必要となるため、ケーブル本数が増えて配線が複雑になるおそれがある。
【０００６】
そして、端末装置が有するＵＳＢポートに、ＵＳＢメモリ、外付けハードディスクドライブ等の外部記憶媒体を接続して、該外部記憶媒体から発表者が所望するファイルを読み出し、上記の表示装置等で表示して使用する場合がある。
また、発表者が自身が所有するノートパソコン等の端末装置を持ち込んだときには、該端末装置を表示装置へ新たに接続する必要があり、手間がかかる。
ところで、このような場合に、プロジェクタといった表示装置は、発表者が登壇する位置からは離れていることが多い。そのため、ケーブル等の繋ぎなおしに手間がかかる。また、スムーズに次の発表に移れないことから、授業や発表の進行を妨げるおそれがある。
【０００７】
そこで、本発明が解決しようとする課題は、端末装置に接続される複数台の周辺機器へ供給する電源を、該周辺機器が接続される外部データ入出力端子から供給するようにして、利便性を高めた撮像装置を提供することを目的とする。
【課題を解決するための手段】
【０００８】
請求項１に記載の撮像装置は、被写体を撮影した画像を電気的に変換して形成した画像原信号を出力する撮像部と、
前記画像原信号に基づいた画像信号又は外部映像機器類から入力された映像信号を外部表示装置へ出力すると共に、前記画像原信号を圧縮して形成した画像データ信号をパソコン等の端末装置へ出力する装置本体とからなる撮像装置であって、
前記端末装置とデータ通信をするための主データ入出力端子と、前記端末装置とデータ通信をする周辺機器を接続するための従データ入出力端子とからなる外部データ入出力端子を前記装置本体に設け、
前記撮像部と前記装置本体に電源を供給する一の主電源供給手段と、
前記従データ入出力端子から前記周辺機器に電源を供給する一又は複数の副電源供給手段と、
外部電源の電圧及び電流を前記撮像部及び前記装置本体、並びに前記周辺機器の各動作に適した電圧及び電流に変換する制御を行う電源制御手段とを設け、
前記副電源供給手段に、前記端末装置が前記主データ入出力端子に接続されたことを検知すると共に、前記周辺機器が前記従データ入出力端子に接続されたことを検知する検知手段を設けて、
前記端末装置が前記主データ入出力端子に接続されている場合に、前記周辺機器を前記従データ入出力端子へ接続したとき、
前記従データ入出力端子が電源を出力するようにしたことを特徴とする。
【０００９】
請求項２に記載の撮像装置は、請求項１に記載の発明において、前記主電源供給手段に前記撮像部の電源をオン又はオフにするためのスイッチを設け、
該スイッチのオン・オフにかかわらず、前記副電源供給手段は、略一定の値の電源を前記従データ入出力端子から出力するようにしたことを特徴とする。
【００１１】
請求項３に記載の撮像装置は、請求項１若しくは請求項２のいずれかに記載の発明において、前記副電源供給手段は、前記従データ入出力端子を一個乃至複数個毎にまとめた従データ入出力端子ユニットを有していることを特徴とする。
【００１２】
請求項４に記載の撮像装置は、請求項１乃至請求項３のいずれかに記載の発明において、前記副電源供給手段が前記従データ入出力端子から出力する電源電圧は、前記主電源供給手段が供給する電源電圧よりも低電圧であることを特徴とする。
【００１３】
請求項５に記載の撮像装置は、請求項１に記載の発明において、前記主データ入出力端子及び前記従データ入出力端子からなる前記外部データ入出力端子がＵＳＢポートであることを特徴とする。
【発明の効果】
【００１４】
請求項１に記載の撮像装置によれば、主電源供給手段と副電源供給手段とを設け、端末装置とデータ通信をするための主データ入出力端子と、端末装置とデータ通信をする周辺機器を接続するための従データ入出力端子とからなる外部データ入出力端子を設けた。そして、副電源供給手段が従データ入出力端子に接続された周辺機器に対して電源を供給するようにした。
これにより、撮像装置をバスパワー付きのハブとして使用することができる。そのため、該従データ入出力端子に接続された周辺機器は、電源ケーブルを省くことができるので、撮像装置周辺の配線を整理することができる。
ここで、撮像装置は、一般的に発表する者の手元に配置されることが多い。この場合に、端末装置や周辺機器等を撮像装置にケーブル一本でそれぞれ接続することにより、該撮像装置を中心とした利便性の高いプレゼンテーションシステムを構成することができる。
また、端末装置と周辺機器がそれぞれ主データ出入力端子と従データ出入力端子に接続されたことを検知する検知手段を副電源供給手段に設けて、端末装置が主データ出入力端子に接続されている場合に、周辺機器が従データ入出力端子に接続されたとき、瞬間的に副電源供給手段が従データ入出力端子から電源を周辺機器へ供給するようにした。
これにより、空き端子に供給される電源を遮断し、周辺機器が接続されている端子に電源を可及的速やかに供給することができるので、余分な電力の消費を抑えることができる。そのため、撮像装置の消費電力を抑制し、利便性を高めることができる。
【００１５】
請求項２に記載の撮像装置によれば、前記撮像部の電源をオン又はオフにするためのスイッチを主電源供給手段に設けて、該スイッチのオン・オフにかかわらず、副電源供給手段は略一定の値の電源を従データ入出力端子から出力するようにした。これにより、従データ入出力端子から安定した電源を周辺装置に対して供給することができる。そのため、周辺機器を安定して動作させることができるので、撮像装置の信頼性を高め、利便性を高めることができる。
【００１７】
請求項３に記載の撮像装置によれば、副電源供給手段は、従データ入出力端子を一個乃至複数個毎にまとめた従データ入出力端子ユニットを有している。これにより、用意した周辺機器の数に合わせて、当該従データ入力端子ユニットを増設することにより、バスパワーの電源が容量不足に陥ることを防止できる。そのため、一つあたりの従データ入出力端子が供給可能な電源容量を気にすることなく、複数台の周辺機器を接続することができるので、撮像装置の利便性を高めることができる。
【００１８】
請求項４に記載の撮像装置によれば、副電源供給手段が従データ入出力端子から出力する電圧を主電源供給手段が供給する電圧よりも低くした。これにより、従データ入出力端子に複数台の周辺機器を接続したときにかかる負荷が増加した場合に、当該負荷の増加に伴う影響が主電源供給手段側に波及することを防ぐことができる。そのため、主電源供給手段が供給する撮像部及び装置本体の電源を安定させることができるので、撮像装置の利便性を高めることができる。
【００１９】
請求項５に記載の撮像装置によれば、主データ入出力端子及び従データ入出力端子からなる外部データ入出力端子を汎用性の高いＵＳＢポートとした。これにより、複数個のＵＳＢポートを有するＵＳＢハブとして撮像装置は使用される。そして、該ＵＳＢポートにそれぞれＵＳＢ機器を接続することができるので、撮像装置の使用の態様に合わせて、外付けハードディスクドライブや、ＵＳＢメモリ、Ｗｅｂカメラ等の様々なＵＳＢ機器を接続することができる。そのため、撮像装置の利便性を高めることができる。
【図面の簡単な説明】
【００２０】
【図１】実施例に係る撮像装置の構成の概略を示したブロック図である。
【実施例１】
【００２１】
本実施例に係る撮像装置を添付した図面にしたがって説明する。図１は、構成の概略を示したブロック図である。
撮像装置１０は、撮像部１１と、装置本体１２と、撮像部１１及び装置本体１２に電源を供給する電源１３とからなる。
【００２２】
撮像部１１は、単数若しくは複数のレンズ（図示略）と、レンズを透して入力された被写体の画像を電気的に変換する撮像素子（図示略）とからなり、被写体の画像を電気的に変換して形成した画像原信号ｓを出力する。
そして、撮像部１１のスイッチ１１ａと、スイッチ１１ａのオン・オフ切替を制御するスイッチ切替制御手段１１ｂと、スイッチ切替制御手段を操作する電源ボタン１１ｃは、装置本体１２に設けられている。
【００２３】
装置本体１２は、画像原信号ｓが入力される画像処理部１４を有する。該画像処理部１４は、撮像部１１から入力された画像原信号ｓをエンコード或いはデコード等の最適化処理を行い、用途に合わせて分割する処理を行う画像処理手段を有し、画像出力端子１５と、画像データ出力端子１６を備えている。
画像出力端子１５からは、画像原信号ｓに基づいて形成された画像信号ｉが出力される。
一方、画像データ出力端子１６からは、画像原信号ｓを圧縮して形成した画像データ信号ｊが出力される。
【００２４】
装置本体１２はまた、画像入出力部１７とデータ入出力部１８を有する。
画像入出力部１７は、画像出力端子１５から画像信号ｉが入力される画像入力端子１７ａと、ビデオ再生機或いはパソコン等の端末装置等の外部映像機器類が出力した映像信号ｍが入力される外部映像入力端子１７ｂと、画像信号ｉ又は映像信号ｍのうち何れか一方が出力される画像出力端子１７ｃと、画像信号ｉ又は映像信号ｍの何れか一方に自動的又は手動で切り替える切替手段１９とを有する。
これにより、画像入出力部１７は、撮像部１１で撮影した被写体の画像を構成する画像信号ｉ又は外部映像機器類から入力された映像信号ｍの何れか一方を画像出力端子１７ｃから出力することができる。
なお、図１に示す画像出力端子１７ｃには、外部表示装置としてプロジェクタ４０が接続されている。そしてプロジェクタ４０に対向してスクリーン４１が設置されている。入力された画像信号ｉ又は映像信号ｍに基づいてプロジェクタ４０で復号された画像又は映像は、スクリーン４１に表示される。
ここで、本実施例において、外部映像入力端子１７ｂはＲＧＢ入力端子、画像出力端子１７ｃはＲＧＢ出力端子であるが、これに限定されるものではなく、映像又は画像を入出力する場合に最適な規格を選択することができる。
【００２５】
データ入出力部１８は、画像データ出力端子１６から画像データ信号ｊが入力される画像データ入力端子１８ａを有し、パソコン等の端末装置３０とデータ通信をするための主データ入出力端子１８ｂと、端末装置３０とデータ通信をするために周辺機器３５，３６が接続される従データ入出力端子１８ｃとからなる外部データ入出力端子を有する。
画像データ入力端子１８ａに入力された画像データ信号ｊは、主データ入出力端子１８ｂから端末装置３０に出力される。
本実施例において、従データ入出力端子１８ｃに接続されている周辺機器３５，３６は、Ｗｅｂカメラ３５と、外付けハードディスクドライブ装置３６である。
また、本実施例において、主データ入出力端子１８ｂと従データ入出力端子１８ｃはＵＳＢ規格に準拠した通信を行うＵＳＢポートである。しかし、これに限定されるものではなく、例えばＩＥＥＥ１３９４規格のように、端末装置３０と周辺機器３５，３６との間でデータ通信を行うと共に、電源を供給する規格をもちいても良い。
【００２６】
従データ入出力端子１８ｃは、１個又は２個乃至４個毎にまとめて並列に配し、従データ入出力端子ユニット２０を形成している。該従データ入出力端子ユニット２０に対して、後述する副電源供給手段２６から電源がそれぞれ供給されている。
従データ入出力端子ユニット２０は、図１の実線に示すように一つであっても良く、また点線で示したように、増設しても良い。
また、従データ入出力端子ユニット２０は、副電源供給手段２６と連動して端末装置３０と周辺機器３５，３６を検知する検知手段である検知回路２１を有している。
検知回路２１は、主データ入出力端子１８ｂへ端末装置３０が接続されたことを検知し、従データ入出力端子１８ｃへ周辺機器３５，３６が接続されたことを検知する。
そして、主データ入出力端子１８ｂに端末装置３０が接続されている場合に、従データ入出力端子１８ｃへ周辺機器３５，３６を接続したとき、検知回路２１は、瞬間的に周辺機器３５，３６の接続を検知し、該検知回路２１に連動する副電源供給手段２６が、従データ入出力端子１８ｃから電源を可及的速やかに出力する。
これにより、従データ入出力端子１８ｃの空き端子にデータ通信用の信号が端末装置３０から流されたり、電源が供給される等の通信回線や電力の無駄を省くことができる。
【００２７】
電源１３は、一の主電源供給手段２５と、一又は複数の副電源供給手段２６と、一の電源制御手段２７とからなる。
主電源供給手段２５は、撮像部１１並びに画像処理部１４及び画像入出力部１７に電源を供給する。
副電源供給手段２６は、データ入出力部１８と、検知回路２１と、従データ入出力端子ユニット２０に配された従データ入出力端子１８ｃから周辺機器３５，３６に電源を供給する。
そして、電源制御手段２７は、外部電源４５の電圧及び電流を撮像部１１及び装置本体１２、並びに周辺機器３５，３６の各動作に適した電圧及び電流に変換する制御を行う。
【００２８】
主電源供給手段２５は、撮像部１１に供給する１２Ｖ電源２５ａと、画像処理部１４及び画像入出力部１７に供給する５Ｖ電源２５ｂとを有する。
５Ｖ電源２５ｂは、また、撮像部１１のスイッチ１１ａのオン・オフを切り替えるための制御を行うスイッチ切替制御手段１１ｂの動作にも用いられている。
そして、電源ボタン１１ｃをオンにしたとき、スイッチ切替手段１１ｂに５Ｖ電源を流してスイッチ１１ａをオンにする制御が行われ、電源ボタン１１ｃをオフにしたとき、スイッチ切替手段１１ｂに流れる５Ｖ電源を遮断してスイッチ１１ａをオフにする制御が行われる。
また同様に、画像入出力部１７へ供給される５Ｖ電源２５ｂは、切替手段１９を動作する制御にも用いられている。切替手段１９では、該５Ｖ電源２５ｂを用いて、画像入力端子１７ａに入力された画像信号ｉを検知したとき、画像入力端子１７ａ側に接続し、外部映像入力端子１７ｂに入力された映像信号ｍを検知したとき、外部映像入力端子１７ｂ側に接続するようにされている。
なお、本実施例において、切替手段１９は、５Ｖ電源２５ｂによって自動的に切り替わるように構成されている。しかし、該５Ｖ電源２５ｂを遮断して、手動で切り替えるようにしても良い。
【００２９】
副電源供給手段２６は、１２Ｖ電源２５ａを変換した５Ｖ電源２６ａを有し、データ入出力部１８及び従データ入出力端子ユニット２０へ電源を供給している。従データ入出力端子ユニット２０へ供給された５Ｖ電源２６ａは、従データ入出力端子１８ｃから周辺機器３５，３６に電源を供給する。
本実施例において、従データ入出力端子ユニット２０に供給される５Ｖ電源２６ａは、電圧５Ｖ±５％、消費電流５００ｍＡ、消費電力２．５Ｗに制限されている。
ここで、従データ入出力端子ユニット２０に設けられた検知回路２１は、データ入出力部１８に供給された５Ｖ電源２６ａを用いる。
【００３０】
従データ入出力端子ユニット２０を増設したとき、増設した従データ入出力端子ユニット２０の数に合わせて副電源供給手段２６を増設する。これにより、増設した各従データ入出力端子ユニット２０は、電圧５Ｖ±５％、消費電流５００ｍＡ、消費電力２．５Ｗの電源をそれぞれ独立して利用することができる。
そして、増設する従データ入出力端子ユニット２０に設ける従データ入出力端子１８ｂの端子数を接続する周辺機器３５，３６の消費電力に合わせて増減すれば、接続する周辺機器３５，３６に最適な電源を供給することができる。
そのため、複数台の周辺機器３５，３６を使用の態様にあわせて接続することができ、撮像装置１０の利便性を高めることができる。
【００３１】
電源制御手段２７は、ＡＣアダプタ２８とコンセント２９を有する。ＡＣアダプタ２８では、外部電源４５の電圧及び電流を変換して１２Ｖ電源２７ａを形成する制御が行われている。
１２Ｖ電源２７ａは、主電源供給手段２５に供給されて１２Ｖ電源２５ａとなり、また、主電源供給手段２５及び副電源供給手段２６に供給されて５Ｖ電源２５ｂ，２６ａに変換される。
本実施例において、外部電源４５は家庭用に供給される１００Ｖ交流電源であるが、これに限定されるものではなく、ＡＣアダプタ２８を換えることによって、様々な電圧の外部電源を用いることができる。
これにより、日本国内のみならず、海外においても撮像装置１０を使用することができるので、撮像装置１０の利便性を高めることができる。
【００３２】
上記の構成を有する撮像装置１０は、以下のように使用される。
撮像装置１０は、コンセント２９を外部電源４５に接続したとき、ＡＣアダプタ２８から１２Ｖ電源２７ａが主電源供給手段２５と副電源供給手段２６に供給される。
【００３３】
主電源供給手段２５に供給された１２Ｖ電源２７ａは、そのまま撮像部１１に供給される１２Ｖ電源２５ａと、撮像部１１のスイッチ１１並びに画像処理部及び画像出力部に供給される５Ｖ電源２５ｂに変換される。
また、副電源供給手段２６に供給された１２Ｖ電源２７ａは、５Ｖ電源２６ａに変換される。
【００３４】
撮像部１１のスイッチ１１ａ及びスイッチ切替制御手段１１ｂに供給された５Ｖ電源２５ｂによって、撮像部１１は起動準備が終了して何時でも撮影を開始することができる、いわゆるスタンバイ状態に移行する。
ここで、画像入出力部１７は５Ｖ電源２５ｂが供給され、副電源供給手段２６には５Ｖ電源２６ａが供給されている。
このとき、画像入出力部１７の切替手段１９は、外部映像入力端子１７ｂ側に保持するように設定されている。これにより、外部映像入力端子１７ｂへ映像信号ｍが入力された場合に、画像出力端子１７ｃからプロジェクタ４０に映像信号ｍを直接出力することができる。
また、副電源供給手段２６は、データ入出力部１８と従データ入出力端子ユニット２０に５Ｖ電源２６ａを供給し、検知回路２１と従データ入出力端子１８ｃに接続されたＷｅｂカメラ３５と外付けハードディスクドライブ装置３６に電源を供給する。
【００３５】
一方、電源ボタン１１ｃをオンにすると、スイッチ切替制御手段１１ｂのスタンバイ状態が解除されてスイッチ１１ａがオンになり、撮像部１１で撮影が開始される。
そして撮像部１１から画像処理部１４に画像原信号ｓが出力される。
【００３６】
このとき、画像入出力部１７の切替手段１９の切替制御が有効になる。これにより、画像処理部１４で画像原信号ｓに基づいて形成された画像信号ｉと外部映像入力端子１７ｂに入力された映像信号ｍとを切り替えて画像出力端子１７ｃから出力することができる。
また、副電源供給手段２６は、データ入出力部１８と従データ入出力端子ユニット２０に５Ｖ電源２６ａを供給し、検知回路２１と従データ入出力端子１８ｂに接続されたＷｅｂカメラ３５と外付けハードディスクドライブ装置３６に電源を供給する。
【００３７】
上記のように、電源ボタン１１ｃのオン・オフ、すなわち、撮像部１１のスイッチ１１ａのオン・オフにかかわらず、副電源供給手段２６は、データ入出力部１８と従データ入出力端子ユニット２０に５Ｖ電源２６ａを供給し、検知回路２１と従データ入出力端子１８ｂに接続されたＷｅｂカメラ３５と外付けハードディスクドライブ装置３６に電源を供給する。
【００３８】
副電源供給手段２６が５Ｖ電源２６ａをデータ入出力部１８に供給したとき、該データ入出力部１８側から検知回路２１に電源が供給され、該検知回路２１が起動する。
そして、起動した検知回路２１では、まず主データ入出力端子１８ｂに端末装置３０が接続されているか否かを検知する処理が開始される。
具体的には、検知回路２１が、主データ入出力端子１８ｂに端末装置３０が接続されて通電した瞬間に、端末装置３０が主データ入出力端子１８ｂへ接続されたとみなされる。
その後、データ入出力部１８と端末装置３０は、データ通信を開始し、端末装置３０の接続状態が継続していることを確認するホスト信号ｈが主データ入出力端子１８ｂに周期的に入力される。
【００３９】
また、検知回路２１は、周辺機器３５，３６が従データ入出力端子１８ｃに接続されたことを検知するようにも構成されている。
ここで、周辺機器３５，３６が検知される前段の条件として、端末装置３０が主データ入出力端子１８ｂに接続されていることを要する。この場合に、従データ入出力端子１８ｃに、Ｗｅｂカメラ３５、外付けハードディスクドライブ装置３６等の周辺機器を接続すると、瞬間的にその接続状態が検知回路２１で検知され、従データ入出力端子１８ｂから周辺機器３５，３６に向けて５Ｖ電源２６ａの供給が可及的速やかに開始される。
【００４０】
端末装置３０が主データ入出力端子１８ｂに接続されていない場合には、従データ入出力端子１８ｃに周辺機器３５，３６を接続したとしても、従データ入出力端子１８ｂから周辺機器３５，３６に向けて５Ｖ電源２６ａは供給されない。
このとき、検知回路２１は、従データ入出力端子１８ｃに接続されている周辺機器３５，３６を検知するが、副電源供給手段２６は、電源の供給を中断して、主データ入出力端子１８ｂに端末装置３０が接続される場合に備えたスタンバイ状態に移行する。
そして、端末装置３０が主データ入出力端子１８ｂに接続されたときには速やかに、従データ入出力端子１８ｂから周辺機器３５，３６に向けて５Ｖ電源２６ａの供給が開始される。
【００４１】
その後、周辺機器３５，３６は、データ入出力部１８を経由して端末装置３０と、データ通信を開始する。
そして、周辺機器３５，３６の電源スイッチがオフにされる等して、データ通信の応答が所定時間途絶えた場合、又は周辺機器３５，３６が従データ入出力端子１８ｃから抜脱された場合に、副電源供給手段２６は、５Ｖ電源２６ａの供給を停止する。これにより、通信回線や、電力の無駄を省くことができる。
【００４２】
また、本実施例に係る撮像装置１０は、図１に示すように、ネットワーク５０上で端末装置３０と他の端末装置５５とからなる仮想的な会議室において、被写体の画像を提示することができる。
具体的には、従データ入出力端子１８ｃに接続されたＷｅｂカメラ３５を用いて、他の端末装置５５とネットワーク５０を介してテレビ電話のように互いに顔を映すと共に通話し、必要なときに撮像装置１０の電源ボタン１１ｃを押下して、撮像部１１で撮影した被写体の画像をネットワーク５０上に掲示する。一方、端末装置３０内に保存されている資料の映像は、端末装置３０から直接ネットワーク５０上へ提示すると共に、映像信号ｍとして画像出力端子１７ｃからプロジェクタ４０へ出力することができる。
【００４３】
本実施例に係る撮像装置１０によれば、撮像部１１が起動していない、いわゆるスタンバイ状態においても、従データ入出力端子１８ｃから周辺機器３５，３６へ電源を出力し、また、画像出力端子１７ｃを使用することができる。
そのため、撮像部１１が何も映していない場合であっても、端末装置３０のモニタ画面に表示された画像をプロジェクタ４０で表示し、Ｗｅｂカメラ３５、外付けハードディスクドライブ装置３６等の従データ入出力端子１８ｃに接続された周辺機器３５，３６を使用することができる。
これにより、撮像装置１０を教室や会議室等の発表の場において設置しておき、ノートパソコン等の端末装置３０を接続したり、また、ＵＳＢ機器を接続するためのＵＳＢハブとして用いることができる。
さらに、従データ入出力端子ユニット２０、すなわち、従データ入出力端子１８ｃであるＵＳＢポートを複数個毎に増設することができるので、撮像装置１１の使用の態様にあわせて、当該ＵＳＢポートを増設して任意の台数のＵＳＢ機器を接続することができる。
したがって、撮像装置の利便性を高めることができる。
【符号の説明】
【００４４】
１０…撮像装置、１１…撮像部、１１ａ…スイッチ、１１ｂ…スイッチ切替制御手段、１１ｃ…電源ボタン、１２…装置本体、１３…電源、
１４…画像処理部、１５…画像信号出力端子、１６…画像データ信号出力端子、
１７…画像入出力部、１７ａ…画像入力端子、１７ｂ…外部映像入力端子、１７ｃ…画像出力端子、
１８…データ入出力部、１８ａ…画像データ入力端子、１８ｂ…主データ入出力端子、１８ｃ…従データ入出力端子、
１９…切替手段、
２０…外部データ入出力端子ユニット、
２１…検知回路、
２５…主電源供給手段、２５ａ…１２Ｖ電源、２５ｂ…５Ｖ電源、
２６…副電源供給手段、２６ａ…５Ｖ電源、
２７…電源制御手段、２７ａ…１２Ｖ電源、２８…ＡＣアダプタ、
２９…コンセント、
３０…端末装置、
３５…Ｗｅｂカメラ、３６…外付けハードディスクドライブ装置、
４０…プロジェクタ、４１…スクリーン、
４５…外部電源、
５０…ネットワーク、５５…他の端末装置、
ｓ…画像原信号、ｉ…画像信号、ｊ…画像データ信号、ｍ…映像信号、
ｈ…ホスト信号。
【図１】
0005485782.tif 000002